(57)【要約】【課題】植物が植栽される植栽基盤を軽量化する。【解決手段】植栽基盤１０は、保水シート２０の両面に植栽シート３０、３２が重ねられた植栽マット５０と、植栽マット５０を両面から挟んで保持する保持部材６０、６２と、横材６４と横材６４との間から植栽シート３０、３２が突出して形成され植物１４が植栽される収容部１８０と、を備えている。【選択図】図７
2018191531.tif 000002
【特許請求の範囲】
【請求項１】
保水シートと、前記保水シートの一方の面又は両方の面に重ねられた植栽シートと、を有する植栽マットと、
間隔をあけて配置された複数の横材を有し、前記植栽マットを両面から挟んで保持する保持部材と、
前記横材と前記横材との間から前記植栽シートが突出して形成され、植物が植栽される収容部と、
を備える植栽基盤。
【請求項２】
前記植栽マットと前記保持部材との間には、防水シートが設けられ、
前記防水シートは、前記植栽シートと共に前記横材と前記横材との間から突出して前記収容部を形成する、
請求項１に記載の植栽基盤。
【請求項３】
請求項1又は請求項２に記載の植栽基盤と、
前記植栽基盤を水平面に対して角度を持って支持する支持手段と、
前記植栽基盤の前記保水シートの上端部から潅水する潅水装置と、
を備えた緑化装置。
【請求項４】
前記支持手段の下端部に隣接して、樋部材が設けられ、
前記植栽基盤の前記保水シートの下端部には、前記樋部材に延出する延出部が設けられている、請求項３に記載の緑化装置。
【発明の詳細な説明】
【技術分野】
【０００１】
本発明は、植栽基盤及び緑化装置に関する。
【背景技術】
【０００２】
特許文献１には、垂直面等の立ち上がり面用の緑化構造に関する技術が開示されている。この先行技術では、盤状のケースを用いてパネル化されており、該ケースは、二つ合わせ式のケースからなっている。そして、ケース内において、その下部には、貯水部としての樋状水受けが設置されている。また、ケースは、合成樹脂成形品や、表面処理鋼板あるいはアルミニウム合金板などからなっている。
【０００３】
特許文献２には、照明付き壁面緑化装置に関する技術が開示されている。この先行技術では、互いに左右または上下左右に連結されて自立した分離壁となる配列体を構成する複数の壁面緑化ユニットと、これら複数の壁面緑化ユニットの配列体の上部に設けられた照明器具とを備えている。なお、壁面緑化ユニットは、薄箱状に枠組みされた壁面フレームに灌水装置を設け、内部空間に植物育成基盤を充填したものである。また、植物育成基盤には、ブレンドした専用土壌や、他の軽量土等が用いられる。
【０００４】
特許文献３には、第二網材でシート材と保水部材とを間に挟んでパネル材に取り付けることで、第二網材とシート材と保水部材とパネル材とが一体化された植栽基盤となる技術が開示されている。この先行技術では、シート材と外側保水材とで形成され第二網材の網目から突出する収容部に植物が植栽され、収容部に植栽された植物は保水部材の第一網材に根を絡ませて生育する。
【先行技術文献】
【特許文献】
【０００５】
【特許文献１】特開２００６−２８０２８５号公報
【特許文献２】特開２０１４−１８０２７４号公報
【特許文献３】特開２０１４−１２８２２８号公報
【発明の概要】
【発明が解決しようとする課題】
【０００６】
特許文献１及び特許文献２の緑化技術では、合成樹脂成形品、表面処理鋼板及びアルミニウム合金板等からなるケース及び土が充填された壁面フレームが用いられている。よって、垂直壁面の両面に植栽することができるが、植物が植栽される植栽基盤が厚く、重量が重い。したがって、植栽基盤を軽量化することが望まれている。
【０００７】
また、特許文献３の緑化技術では、植栽基盤として柔軟なシートが用いられ、パネル材と一体化されている。よって、植栽基盤の軽量化がなされているが、植栽可能な面が片面に限られる。
【０００８】
本発明は、植物が植栽される植栽基盤を軽量化又は両面に植栽可能とすることが目的である。
【課題を解決するための手段】
【０００９】
請求項１の発明は、保水シートと、前記保水シートの一方の面又は両方の面に重ねられた植栽シートと、を有する植栽マットと、間隔をあけて配置された複数の横材を有し、前記植栽マットを両面から挟んで保持する保持部材と、前記横材と前記横材との間から前記植栽シートが突出して形成され、植物が植栽される収容部と、を備える植栽基盤である。
【００１０】
請求項１に記載の発明では、植栽基盤は、保水シートの一方の面又は両方の面に植栽シートが重ねられた植栽マットを、間隔をあけて配置された複数の横材を有する保持部材が挟んで保持する構造である。よって、本発明の植栽基盤は、硬いパネルに植栽マットを固定する構造と比較し、薄型で軽量化される。
【００１１】
また、保水シートの両面に植栽シートを重ねた場合は、植栽基盤の両面に植物を植栽することができる。
【００１２】
請求項２の発明は、前記植栽マットと前記保持部材との間には、防水シートが設けられ、前記防水シートは、前記植栽シートと共に前記横材と前記横材との間から突出して前記収容部を形成する、請求項１に記載の植栽基盤である。
【００１３】
請求項２に記載の発明では、防水シートによって、植栽マットが保護されると共に乾燥が抑制される。
【００１４】
請求項３の発明は、請求項1又は請求項２に記載の植栽基盤と、前記植栽基盤を水平面に対して角度を持って支持する支持手段と、前記植栽基盤の前記保水シートの上端部から潅水する潅水装置と、を備えた緑化装置である。
【００１５】
請求項３に記載の発明では、植栽基盤の植栽マットの保水シートの上端部から潅水された水は、保水シート内を重力によって流下する過程で、毛細管現象によって植栽シートが形成する収容部に取り込まれる。そして、収容部に植栽された植物の根が、植栽マット内を伸長する。一方、植物１４の生育に必要とされない余剰水は、保水シートの下端部から排水される。
【００１６】
よって、植栽マット内は植栽された植物の生育にとって水分条件や空気条件などが好適に保たれる。
【００１７】
請求項４の発明は、前記支持手段の下端部に隣接して、樋部材が設けられ、前記植栽基盤の前記保水シートの下端部には、前記樋部材に延出する延出部が設けられている、請求項３に記載の緑化装置である。
【００１８】
請求項４に記載の発明では、保水シートの下端部から延出する延出部から樋部材に余剰水が排水されるので、保水シートの下端部に水が溜まることが効果的に抑制される。よって、保水シートの下端部に水が溜まることによる根腐れ等が抑制される。
【発明の効果】
【００１９】
本発明によれば、植物が植栽される植栽基盤を軽量化又は両面に植栽可能とすることができる。
【図面の簡単な説明】
【００２０】
【図１】各シートを重ねて一体化する前の植栽基盤の分解斜視図である。
【図２】収容部を形成する前の植栽基盤の下部のＹ方向に沿った縦断面図である。
【図３】緑化装置の支持部材の斜視図である。
【図４】植栽基盤に収容部を形成する前の緑化装置の下部をＸ方向から見た側面図である。
【図５】植栽基盤に収容部を形成する工程を（Ａ）〜（Ｃ）へと順番に示す斜視図である。
【図６】植栽基盤の収容部に植物を植栽した状態の緑化装置の上部のＹ方向に沿った縦断面図である。
【図７】収容部に植物を植栽した状態の植栽基盤の斜視図である。
【図８】潅水装置を示すブロック図である。
【発明を実施するための形態】
【００２１】
＜実施形態＞
次に本発明の一実施形態の植栽基盤及び緑化装置について説明する。なお、鉛直方向をＺ方向とし、左右方向をＸ方向とし、Ｚ方向とＸ方向とに直交する方向をＹ方向とする。なお、後述する植栽基盤１０の厚み方向がＹ方向である。また、後述する植物１４を植栽した状態の図は、図６及び図７であり、これら以外は、植物１４を植栽していない状態の図である。
【００２２】
［構造］
先ず、植栽基盤１０及び緑化装置１００の構造について説明する。
【００２３】
図１及び図２に示すように、植栽基盤１０は、植栽マット５０と、植栽マット５０の両面を挟んで保持する保持部材６０、６２と、を有している。また、本実施形態の植栽基盤１０は、植栽マット５０の両面に防水シート７０、７２がそれぞれ重ねられている。つまり、植栽マット５０と保持部材６０、６２との間に防水シート７０、７２が設けられている。
【００２４】
また、植栽マット５０は、保水シート２０と、保水シート２０の両面に重ねられた植栽シート３０、３２と、を有している。
【００２５】
植栽マット５０を構成する保水シート２０及び植栽シート３０、３２は、保水性及び吸水性の高い材料（フェルト、不織布、ウレタン、スポンジ、ヤシ繊維等）で構成された多孔質体をシート状に加工したものである。本実施形態の保水シート２０は、飽和含水率８０％以上且つ飽和透水係数０．０５ｃｍ／ｓ以上の排水性能が高い多孔質体を用いている。また、本実施形態では、植栽シート３０、３２は、保水シート２０と同じ材料の多孔質体を用いている。
【００２６】
防水シート７０、７２は、ゴムやビニール等の水分蒸発防止機能を有する材料で構成されている。なお、本実施形態では、水分蒸発防止機能に加え、遮熱性や不燃性を有すると共に耐候性に優れた加硫ゴム系のシートを使用した。
【００２７】
保持部材６０、６２は、それぞれ金属製の線材で構成された横材６４、縦材６６及び枠材６８で構成されている。横材６４及び縦材６６は格子状に配置され接合されている。そして、格子状に配置された横材６４及び縦材６６の端部が、Ｙ方向から見た形状が矩形状の枠材６８に接合されている。なお、横材６４及び縦材６６は、植栽マット５０を間に挟んで対向配置されている。
【００２８】
図３、図４、図６に示すように、緑化装置１００は、植栽基盤１０と、支持部材１１０（図３及び図４を参照）と、潅水装置２００（図６及び図８を参照）と、を備えている。支持部材１１０（図３及び図４を参照）は、植栽基盤１０を水平面に対して角度を持って、本実施形態では鉛直又は略鉛直方向に支持する。潅水装置２００（図６及び図８を参照）は、植栽基盤１０の保水シート２０の上端部２２（図６参照）から潅水する。なお、図３では、植栽基盤１０の植栽マット５０及び後述する樋部材１５０（図４参照）の図示を省略している。
【００２９】
図３及び図４に示すように、支持部材１１０は、地盤１２に設けられた支柱１２４（図３参照）と台部１３０と、を含んで構成されている。図３に示すように、支柱１２４は、Ｙ方向に間隔をあけて配置された対向する支持板１２０、１２２を有し、これら支持板１２０、１２２で保持部材６０、６２を挟んで支持している。図３及び図４に示すように、台部１３０は、Ｘ方向に間隔をあけて配置されており、支柱１２４（支持板１２０、１２２）の下端部を保持して支持すると共に、保持部材６０、６２の下端部を支えている。
【００３０】
図８に示すように、潅水装置２００は、外周面２０２Ａに複数の孔２０４が形成された筒状のホース２０２と、ポンプ２１０と、ホース２０２とポンプ２１０とを繋ぐチューブ２１２と、ポンプ２１０に電気的に接続されポンプ２１０を制御する制御部２１４と、を有している。
【００３１】
図６に示すように、潅水装置２００のホース２０２は、植栽基盤１０の保水シート２０の上端部２２上にＸ方向に沿って配置されている。
【００３２】
図８に示す制御部２１４は、定期的に予め定めた量の水がホース２０２に供給されるように、ポンプ２１０を制御する。そして、ホース２０２に水が供給されると、各孔２０４から水が吐出し、図６に示す保水シート２０及び植栽シート３０、３２に浸透する。つまり、保水シート２０及び植栽シート３０、３２に灌水される。なお、本実施形態では、肥料入りの水を吐出（灌水）させている（液肥潅水）。
【００３３】
図４に示すように、地盤１２には、Ｘ方向に沿って樋部材１５０が設けられている。樋部材１５０は、台部１３０に隣接して設けられている。そして、植栽基盤１０の保水シート２０の下端部から樋部材１５０に延出する延出部２４が引き出されている。
【００３４】
図６及び図７に示すように、横材６４と横材６４との間（格子の目）から防水シート７０、７２及び植栽シート３０、３２が突出し、植物１４が植栽される上部が開口した収容部１８０が形成されている。本実施形態では、植栽基盤１０の両面に収容部１８０が形成され、両面に植物１４が植栽されている。なお、図７では、植栽基盤１０のみを図示している。
【００３５】
（収容部の形成方法）
次に、収容部１８０の形成方法の一例について、図５を用いて説明する。なお、図５では、防水シート７０側の一方の面に収容部１８０を形成する場合を図示しているが、反対側の防水シート７２側の他方の面に収容部１８０を形成する場合も同様である。
【００３６】
図５（Ａ）に示すように、植栽基盤１０の防水シート７０（７２）及び植栽シート３０（３２）に水平方向の切目５５を入れる。図５（Ｂ）に示すように、横材６４と横材６４との間から突出するように、防水シート７０（７２）及び植栽シート３０（３２）における切目５５の下側の部位を引き出し、図５（Ｃ）に示すように、上部が開口した収容部１８０を形成する。
【００３７】
［作用及び効果］
次に、本実施形態の作用及び効果について説明する。
【００３８】
保水シート２０の両面に植栽シート３０、３２を重ねた植栽マット５０を、防水シート７０、７２を間に挟んで両面から保持部材６０、６２で挟んで保持することで、これらが一体化された植栽基盤１０となる。よって、例えば、硬いパネルに植栽マット５０を固定する構造と比較し、薄型で軽量化される。また、低コストであり、施工が容易である。
【００３９】
また、防水シート７０、７２及び植栽シート３０、３２で形成され、横材６４と横材６４との間（格子の目）から突出する収容部１８０に植物１４が植栽されている。収容部１８０に植栽された植物１４は、保水シート２０及び植栽シート３０、３２に根１６を張って生育する（図６参照）。
【００４０】
植物１４が植栽された収容部１８０は、横材６４によって支えられる。また、植栽基盤１０の植栽マット５０が横材６４によって両面から挟むことで柔らかい保水シート２０及び植栽シート３０、３２で構成された植栽マット５０を保持することができる。このように植栽マット５０を挟んで保持することで、植栽マット５０が厚み方向（Ｙ方向）に圧縮される（図２、図４及び図６を参照）。よって、浸透した水が横方向（Ｘ方向）に流れ、植栽マット５０に均一に水分が浸透する。また、植物１４が下方へずり落ちることが防止され、植物１４の生育環境を好適に保つことができる。
【００４１】
また、保水シート２０の両面に植栽シート３０、３２が重ねられているので、植栽基盤１０の両面に植物１４を植栽することができる。
【００４２】
そして、植栽基盤１０の薄型化、軽量化、及び両面植栽の作用により、省スペース且つ植栽可能面積が増加するので、効率的に緑化できる。また、植栽基盤１０の効率的な緑化により、効率的にヒートアイランド現象対策を行うことができる。
【００４３】
潅水装置２００で自動的に植栽マット５０に潅水することで、別途、人が水を補給する場合と比較し、植物１４の管理作業が簡略化される。
【００４４】
植栽基盤１０の植栽マット５０の保水シート２０の上端部２２から潅水された水は、保水シート２０内を重力によって流下する過程で、毛細管現象によって植栽シート３０、３２及びこれらが形成する収容部１８０に取り込まれる。そして、収容部１８０に植栽された植物１４の根１６が、植栽マット５０内を伸長する。一方、植物１４の生育に必要とされない余剰水は、保水シート２０の下端部の延出部２４から樋部材１５０に排水される。
【００４５】
よって、植栽マット５０内は植栽された植物１４の生育にとって水分条件や空気条件などが好適に保たれる。また、防水シート７０、７２によって、植栽マット５０が保護されると共に乾燥が抑制される。
【００４６】
また、保水シート２０の下端部から延出する延出部２４から樋部材１５０に余剰水が排水されるので、保水シート２０の下端部に水が溜まることが効果的に抑制される。よって、保水シート２０の下端部に水が溜まることによる根腐れ等が効果的に抑制される。
【００４７】
ここで、保水シート２０は、前述のように、植物１４に給水する機能と余剰水を排水する機能との両方を有している。よって、植物１４の生育にとって水分条件や空気条件などがより好適に保たれる。そして、本実施形態では、保水シート２０に、飽和含水率８０％以上且つ飽和透水係数０．０５ｃｍ／ｓ以上の排水性能が高い多孔質体を用いることで、水分条件や空気条件などの生育条件を好適に保つことが可能となっている。
【００４８】
＜その他＞
尚、本発明は上記実施形態に限定されない。
【００４９】
例えば、上記実施形態では、植栽マット５０の両面に防水シート７０、７２が重ねられていたが、これに限定されない。防水シート７０及び防水シート７２の一方又は両方を備えていない構造であってもよい。
【００５０】
また、例えば、上記実施形態では、植栽基盤１０の両面に収容部１８０を形成して、植物１４を植栽したが、これに限定されない。植栽基盤１０の一方の面のみに収容部１８０を形成し、植物１４を植栽してもよい。
【００５１】
また、例えば、上記実施形態では、植栽マット５０は、保水シート２０の両面に植栽シート３０、３２が重ねられていたが、これに限定されない。植栽シート３０及び植栽シート３２のいずれか一方のみが保水シート２０に重ねられていてもよい。
【００５２】
また、例えば、上記実施形態では、保持部材６０、６２は、それぞれ金属製の線材で構成された横材６４、縦材６６及び枠材６８で構成されていたが、これに限定されない。縦材６６がなく、横材６４と枠材６８とで構成されていてもよいし、横材６４のみを有していてもよい。なお、横材６４のみで構成されている場合、例えば、支柱１２４に横材６４が接合された構成とすればよい。
【００５３】
つまり、植栽基盤１０は、保水シート２０の少なくとも一方の面に植栽シート３０が重ねられた植栽マット５０と、植栽マット５０を両面から挟む上下方向（Ｚ方向）に間隔をあけて配置された複数の対向配置された横材６４と、を有する構造であればよい。
【００５４】
また、例えば、上記実施形態では、樋部材１５０は、支持部材１１０の下端部を構成する台部１３０に隣接して設けられていたが、これに限定されない。例えば、植栽マット５０の直下に樋部材１５０が配置されていてもよい。或いは、樋部材１５０が設けられておらず、余剰水を地盤１２に直接排水してもよい。
【００５５】
また、例えば、上記実施形態では、植栽基盤１０は、支持部材１１０で鉛直方向又は略線直方向に支持されていたが、これに限定されない。植栽基盤１０を斜めに支持してもよい。或いは、既設の鉛直又は斜めの壁面に植栽基盤１０を取り付けてもよい。なお、この場合、植栽基盤１０を取り付ける壁面が、植栽基盤１０を支持する支持手段の一部を構成する。また、植栽基盤１０の角度は、水平面に対して５°〜９０°が望ましい。
【００５６】
更に、本発明の要旨を逸脱しない範囲において種々なる態様で実施し得る。
【符号の説明】
【００５７】
１０      植栽基盤
１４      植物
２０      保水シート
２４      延出部
３０      植栽シート
３２      植栽シート
５０      植栽マット
６０      保持部材
６２      保持部材
６４      横材
７０      防水シート
７２      防水シート
１１０      支持部材（支持手段の一例）
１００      緑化装置
１５０      樋部材
１８０      収容部
２００      潅水装置
【図１】
2018191531.tif 000003
【図２】
2018191531.tif 000004
【図３】
2018191531.tif 000005
【図４】
2018191531.tif 000006
【図５】
2018191531.tif 000007
【図６】
2018191531.tif 000008
【図７】
2018191531.tif 000009
【図８】
2018191531.tif 000010